(57)【特許請求の範囲】
【請求項１】
講師が学習者に講義を行う講義実行システムに用いられる情報処理装置であって、
個別、グループ及び全体のうち少なくとも１以上の所属単位に所属する学習者用端末に対して、講義内容に関する講義関連データへの処理権限を講師の指示入力に基づいて動的に設定する設定部と、
前記講義関連データを記憶する記憶部と、
前記記憶部へデータを記憶させる制御部と、を備え、
前記制御部は、前記設定部が前記処理権限を一括して設定したあと次の処理を行う前に、前記学習者用端末の現時点での作業内容を前記記憶部に記憶させる、情報処理装置。
【請求項２】
前記設定部は、複数の画面を含む講義のデータである前記講義関連データの特定の講義画面を処理可能とする前記処理権限を前記学習者用端末に設定する、請求項１に記載の情報処理装置。
【請求項３】
前記設定部は、学習者により作成され特定の前記学習者用端末に記憶された前記講義関連データを処理可能とする前記処理権限を他の前記学習者用端末に対して設定する、請求項１又は２に記載の情報処理装置。
【請求項４】
前記設定部は、前記学習者用端末の所属単位で一括して前記処理権限を前記学習者用端末に対して設定する一方、前記学習者用端末に対して付与した前記処理権限を前記講師の指示入力に基づいて一括して解除する、請求項１〜３のいずれか１項に記載の情報処理装置。
【請求項５】
請求項１〜４のいずれか１項に記載の情報処理装置であって、
前記講義関連データを記憶する記憶部と
前記講義関連データに基づいて講義画面を、情報を表示する表示部に出力させる制御部と、を備え、
前記制御部は、前記処理権限を前記学習者用端末に対して付与する権限付与欄が配置された前記講義画面を前記表示部に出力させ、
前記設定部は、前記権限付与欄への入力内容に基づいて前記処理権限を前記学習者用端末に付与する、情報処理装置。
【請求項６】
前記講義画面には、前記個別学習者に前記処理権限を付与する前記権限付与欄、前記学習者のグループに前記処理権限を付与する前記権限付与欄及び前記学習者全体に前記処理権限を付与する前記権限付与欄のうちいずれか１以上が配置されており、
前記設定部は、前記権限付与欄への入力内容に該当する前記学習者用端末に前記処理権限を付与する、請求項５に記載の情報処理装置。
【請求項７】
前記講義画面には、前記学習者用端末に対して付与した前記処理権限を一括して解除する解除入力欄が配置されており、
前記設定部は、前記解除入力欄への入力内容に該当する前記学習者用端末の前記処理権限を一括して解除する、請求項５又は６に記載の情報処理装置。
【請求項８】
ネットワークに接続され前記設定された処理権限に基づいて前記講義関連データに対する処理を実行する１以上の学習者用端末と、
前記ネットワークに接続され前記設定した処理権限を前記学習者用端末のいずれかに出
力する請求項１〜７のいずれか１項に記載の情報処理装置と、
を備えた講義実行システム。
【請求項９】
請求項８に記載の講義実行システムであって、
前記講師が利用する講師用端末、を備え、
前記情報処理装置は、前記講師用端末から前記講師の指示入力を取得する、講義実行システム。
【請求項１０】
講義関連データを記憶する記憶部と、前記記憶部へデータを記憶させる制御部とを備える情報処理装置を含み、講師が学習者に講義を行う講義実行システムに用いられ、コンピュータが実行する情報処理方法であって、
（ａ）個別、グループ及び全体のうち少なくとも１以上の所属単位に所属する学習者用端末に対して、講義内容に関する講義関連データへの処理権限を講師の指示入力に基づいて動的に設定するステップと、
（ｂ）前記ステップ（ａ）で前記処理権限を一括して設定したあと次の処理を行う前に、前記学習者用端末の現時点での作業内容を前記記憶部に記憶させるステップと、
を含む情報処理方法。
【発明の詳細な説明】
【技術分野】
【０００１】
本発明は、情報処理装置、講義実行システム及び情報処理方法に関する。
【背景技術】
【０００２】
従来、情報処理装置としては、学習コンテンツ利用中の学習者による学習者端末の入力操作とその時刻とを対応付けた操作履歴情報に基づいて学習者の学習コンテンツに対する受容特性を推定するものが提案されている（例えば、特許文献１参照）。この装置では、例えば、入力操作の所要時間を算出し、他の学習者の所要時間と比較することによって、学習者の受容特性を推定することにより、学習支援のために有用な指標をより簡便に取得することができるとしている。
【先行技術文献】
【特許文献】
【０００３】
【特許文献１】特開２０１３−２４２４３３号公報
【発明の概要】
【発明が解決しようとする課題】
【０００４】
この特許文献１に記載された情報処理装置では、学習者の学習コンテンツに対する受容特性を推定するものではあるが、講義の進行に合わせた学習コンテンツの制御については、まだ十分な配慮がなされていなかった。特許文献１に記載のように、管理者端末と学習者端末とを備えた学習システムを用い、講師が学習者へ講義を行う際には、講師の意図を反映させた自由度のより高い講義を提供することが求められていた。
【０００５】
本発明は、このような課題に鑑みなされたものであり、講師の意図を反映させた自由度のより高い講義を提供することができる情報処理装置、講義実行システム及び情報処理方法を提供することを主目的とする。
【課題を解決するための手段】
【０００６】
本発明は、上述の主目的を達成するために以下の手段を採った。
【０００７】
本発明の情報処理装置は、
講師が学習者に講義を行う講義実行システムに用いられる情報処理装置であって、
個別、グループ及び全体のうち少なくとも１以上の所属単位に所属する学習者用端末に対して、講義内容に関する講義関連データへの処理権限を講師の指示入力に基づいて動的に設定する設定部、
を備えたものである。
【発明の効果】
【０００８】
この装置では、個別、グループ及び全体のうち少なくとも１以上の所属単位に所属する学習者用端末に対して、講義内容に関する講義関連データへの処理権限を講師の指示入力に基づいて動的に設定する。そして、設定された処理権限に応じて学習者用端末が講義関連データに対する処理を実行する。この講義実行システムでは、処理権限に応じて、講義関連データに対する処理が可能な学習者用端末と、その処理ができない学習者用端末とが存在する中で講師の意図する講義を進めることができる。この装置では、講師の意図を反映させた自由度のより高い講義を提供することができる。ここで、「講義関連データへの処理権限」には、例えば、特定の講義画面を学習者用端末へ表示する権限や、講義画面への入力を可能とする権限、他の学習者用端末に記憶されたデータへのアクセス権限などが含まれる。また、「処理権限を動的に設定」とは、講義中に処理権限が固定されず、経時的に変更される趣旨である。
【図面の簡単な説明】
【０００９】
【図１】講義実行システム１０の一例を表す概略説明図。
【図２】記憶部２３に記憶された権限情報２７の説明図。
【図３】権限設定処理ルーチンの一例を表すフローチャート。
【図４】グループ設定画面５０の一例を表す説明図。
【図５】画像表示画面６０の一例を表す説明図。
【図６】画像データの表示権限をグループに付与する一例を表す説明図。
【図７】画像データの表示権限を個別に付与する一例を表す説明図。
【図８】問題表示画面７０の一例を表す説明図。
【図９】講義画面の表示権限をグループに付与する一例を表す説明図。
【図１０】講義画面の遷移権限を個別に付与する一例を表す説明図。
【発明を実施するための形態】
【００１０】
次に、本発明の実施形態について、図面を用いて説明する。図１は、本発明の一実施形態である講義実行システム１０の構成の概略説明図である。図２は、講義実行サーバ２０の記憶部２３に記憶された権限情報２７の説明図である。講義実行システム１０は、本発明の情報処理装置としての講義実行サーバ２０を含んでおり、講師用端末３０と、複数の学習者用端末４０とを備えている。図１では、学習者用端末４０Ａ〜４０Ｄの４台を示したが、講義実行システム１０は、これ以上有してもよい。なお、学習者用端末４０Ａ〜４０Ｄは、学習者用端末４０と総称する。講義実行サーバ２０、講師用端末３０、複数の学習者用端末４０は、ＬＡＮなどのネットワーク１２に接続されている。
【００１１】
講義実行サーバ２０は、例えば、講義を行う校舎などに設置されている。この講義実行サーバ２０は、ネットワーク１２にて学習者に講義を提供する情報処理装置として構成されている。講義実行サーバ２０は、講師により操作された講師用端末３０からの依頼など、講師の指示入力に基づいて講義内容に関する講義関連データへの処理権限を動的に設定する処理などを行う。また、講義実行サーバ２０は、個別、グループ及び全体のうち少なくとも１以上の所属単位に所属する学習者用端末４０に対して講義関連データへの処理権限を動的に設定する処理などを行う。なお、「講義関連データへの処理権限」には、例えば、特定の講義画面を学習者用端末へ表示する権限や、講義画面への入力を可能とする権限、他の学習者用端末４０に記憶されたデータへのアクセス権限、表示権限、編集権限、複製権限などが含まれる。また、「処理権限を動的に設定」とは、講義中に処理権限が固定されず、経時的に変更される趣旨である。この講義実行サーバ２０は、制御装置２１と、記憶部２３と、通信部２９とを備えている。制御装置２１は、ＣＰＵ２２を中心とするマイクロプロセッサとして構成されており、処理プログラムを記憶するＲＯＭと、作業領域として用いられるＲＡＭとを備える。記憶部２３は、各種アプリケーションプログラムや各種データファイルを記憶するものである。通信部２９は、講師用端末３０や学習者用端末４０などの外部機器と通信を行うものである。
【００１２】
講義実行サーバ２０は、記憶部２３に講義データ２４、関連データ２５、端末情報２６及び権限情報２７などが記憶されている。講義データ２４には、講師により行われる講義の画面がその進行順の情報などと共に含まれている。この講義データ２４は、講師により予め作成され、講義を行う前に記憶部２３に記憶される。関連データ２５は、例えば、講師や学習者により講義中などに作成されたデータである。この関連データ２５は、講義に関する講義関連データであり、例えば、学習者が撮像した画像データや、学習者が描いた画像データなどが含まれる。この関連データ２５は、講義実行システム１０の端末が記憶する講義関連データをすべて含んでいる。端末情報２６は、講義実行システム１０に含まれる端末の情報を含むものであり、例えば、講師用端末３０の数や講師用端末３０の識別情報（ＩＤ）、学習者用端末４０の数やそれを用いる学習者の情報などを含む。権限情報２７は、講師用端末３０により学習者用端末４０に与えられる権限の対応関係を含む情報であり、図２に示すように、端末名、所属するグループ、端末が記憶する画像データ、処理権限の内容などが、各端末ごとに対応付けられている。講義実行サーバ２０は、この権限情報２７を更新しながら講義データ２４の講義を実行する。
【００１３】
講師用端末３０は、講師が利用するパソコンであり、例えば、ノートパソコンなどとしてもよい。なお、講師用端末３０は、タブレット型端末としてもよいし、据え置き型のＰＣとしてもよい。また、図１では、講師用端末３０を１台示したが、複数の講師がおり、講義実行システム１０は、複数の講師用端末３０を有するものとしてもよい。講師用端末３０は、講義実行サーバ２０から学習者用端末４０の情報を取得したり、学習者用端末４０に表示させる画面を出力させる依頼を講義実行サーバ２０へ出力したりする。この講師用端末３０は、制御装置３１と、記憶部３３と、表示部３７と、入力部３８と、通信部３９とを備えている。制御装置３１は、ＣＰＵ３２を中心とするマイクロプロセッサとして構成されており、処理プログラムを記憶するＲＯＭと、作業領域として用いられるＲＡＭとを備える。記憶部３３は、各種アプリケーションプログラムや各種データファイルを記憶するものである。この記憶部３３には、講義データ３４や関連データ３５などが記憶されている。講義データ３４は、講義データ２４と同様のデータである。関連データ３５は、関連データ２５と同様のデータである。表示部３７は、各種情報を表示するディスプレイである。入力部３８は、講師が各種指令を入力するキーボード及びマウス等を含んでいる。通信部３９は、講義実行サーバ２０や学習者用端末４０などの外部機器と通信を行うものである。
【００１４】
学習者用端末４０は、学習者に利用される装置であり、タブレット型端末としてもよい。なお、学習者用端末４０は、ノートＰＣとしてもよいし、据え置き型のＰＣとしてもよい。学習者用端末４０は、講義実行サーバ２０から講義関連データを取得したり、学習者用端末４０の記憶部４３に記憶された関連データ４４を講義実行サーバ２０へ出力したりする。この学習者用端末４０は、制御装置４１と、記憶部４３と、表示入力部４７と、通信部４９とを備えている。制御装置４１は、ＣＰＵ４２を中心とするマイクロプロセッサとして構成されており、処理プログラムを記憶するＲＯＭと、作業領域として用いられるＲＡＭとを備える。記憶部４３は、各種アプリケーションプログラムや各種データファイルを記憶するものである。表示入力部４７は、各種情報を表示すると共に、表示された画像に触れることにより各種指令を入力するタッチパネルである。通信部４９は、講義実行サーバ２０や講師用端末３０などの外部機器と通信を行うものである。この講義実行システム１０では、学習者の情報（名前などの識別情報）と、この学習者の使用する学習者用端末４０の情報とを対応付けた端末情報２６が予め登録されている。そして、講義を受講する際に、学習者は、自分に対応付けられた学習者用端末４０を利用する。
【００１５】
次に、講義実行システム１０の動作、特に学習者用端末４０が取り扱うデータや学習者用端末４０が表示する講義画面の処理権限を設定する処理について説明する。図３は、講義実行サーバ２０の制御装置２１により実行される権限設定処理ルーチンの一例を表すフローチャートである。このルーチンは、記憶部２３に記憶され、講義を提供する際に実行される。このルーチンが開始されると、制御装置２１のＣＰＵ２２は、まず、講義を行うクラスに設定されるグループ数を取得し、仮グループを設定し（ステップＳ１００）、グループの変更を取得する（ステップＳ１１０）。この処理は、講師の指示入力に基づいたグループ数を講師用端末３０から取得すると共に、予め設定された設定方式に応じて各学習者用端末４０をグループに割り当てることにより行う。
【００１６】
図４は、講師用端末３０の表示部３７に表示されるグループ設定画面５０の一例を表す説明図である。図４に示すように、グループ設定画面５０には、グループ数入力欄５２と、グループ表示欄５３とが含まれ、項目を選択する際に移動させるカーソル５１が表示されている。グループ数入力欄５２には、クラスを分割するグループ数が表示されており、カーソルでこのグループ数を選択可能になっている。グループ表示欄５３には、各学習者が割り当てられたグループが表示される。講師は、学習者の総数などに応じて、グループ数入力欄５２のグループ数をクリックすることにより、講義を行い易いようなグループ数を設定する。講師用端末３０の制御装置３１は、グループ数が選択されると、所定の設定方式に応じて、学習者を各グループに割り当てる（仮グループ）。所定の設定方式には、例えば、性別、年齢順、ランダムなどが含まれる。図４には、学習者ａ〜ｈが２つのグループＡ，Ｂに振り分けられる例を示した。グループ設定画面５０は、講師がグループ表示欄５３に表示された学習者をドラッグアンドドロップすることにより学習者の所属するグループを変更可能に構成されている。ステップＳ１１０では、このグループの変更を講師用端末３０から取得する。
【００１７】
次に、ＣＰＵ２２は、講義画面を講師用端末３０や学習者用端末４０へ出力し（ステップＳ１２０）、必要に応じて関連データを講師用端末３０や学習者用端末４０から取得する（ステップＳ１３０）。次に、ＣＰＵ２２は、処理権限の変更があるか否かを講師用端末３０から取得した情報に基づいて判定し（ステップＳ１４０）、処理権限の変更があるときには、変更される処理権限の種別を取得する（ステップＳ１５０）。処理権限の種別は、例えば、図示しない選択画面において講師の指示入力により選択された処理権限の種別の情報が講師用端末３０から取得されるものとしてもよい。処理権限としては、例えば、学習者により作成され特定の学習者用端末４０に記憶された関連データを表示編集処理可能とするものや、複数の画面を含む講義データの特定の講義画面を表示編集処理可能とするものなどが含まれる（後述図５〜１０参照）。続いて、ＣＰＵ２２は、変更した処理権限が個別、グループ及び全体のいずれかであるかを判定し（ステップＳ１６０）、その判定結果に応じて、個別の処理権限を設定するか（ステップＳ１７０）、グループの処理権限を設定するか（ステップＳ１８０）、全体の処理権限を設定するか（ステップＳ１９０）のうちいずれかを実行する。
【００１８】
ステップＳ１７０〜Ｓ１９０のあと、ＣＰＵ２２は、設定した処理権限を権限情報２７に記憶させると共に、各端末へ出力する処理を行う（ステップＳ２００）。設定された処理権限を取得した学習者用端末４０は、その処理権限に応じた処理内容を実行する。そして、ステップＳ２００のあと、又は、ステップＳ１４０で権限の変更がなかったあと、ＣＰＵ２２は、講義が終了したか否かを判定し（ステップＳ２１０）、講義が終了していないときには、ステップＳ１２０以降の処理を実行する。即ち、ＣＰＵ２２は、講義画面を出力し、処理権限の変更があった場合は、個別、グループ及び全体のうちのいずれかの処理権限を変更させるのである。一方、ステップＳ２１０で講義が終了したときには、ＣＰＵ２２は、そのままこのルーチンを終了する。
【００１９】
次に、権限設定処理ルーチンを講義実行サーバ２０が実行しているときの講師用端末３０や学習者用端末４０での具体的な処理について説明する。図５は、講師用端末３０の表示部３７に表示される画像表示画面６０の一例を表す説明図である。この画像表示画面６０は、講義画面の一部であり、例えば、学習者によって作成（撮像など）された画像データを学習者の間で見せ合うときなどに表示される画面である。図５に示すように、画像表示画面６０には、権限付与欄６１と、画像データ表示欄６３と、一括解除入力欄６４とが含まれ、項目を選択する際に移動させるカーソル５１が表示されている。権限付与欄６１は、学習者用端末４０へ処理権限を設定する際に用いられる領域であり、個別学習者に処理権限を付与する領域６１ａと、学習者のグループに処理権限を付与する領域６１ｂと、学習者全体に処理権限を付与する領域６１ｃとを含む。この権限付与欄６１に、処理権限を設定する設定対象の画像をドロップすると、ドロップされた領域に応じた学習者用端末４０に対して処理権限が一括して付与される（ステップＳ１７０〜Ｓ１９０）。画像表示画面６０では、権限付与欄６１の領域６１ａ，６１ｂに設定対象の画像が重ねられると選択対象表示欄６２が表示される。この選択対象表示欄６２は、選択可能な選択肢（グループや個別の学習者）が表示される欄であり、処理権限を与える端末を選択する欄である。例えば、図５の下段に示すように、学習者ａの画像データａを権限付与欄６１のグループ領域６１ｂに重ねると、選択対象表示欄６２が領域６１ｂに隣接表示される。この選択対象表示欄６２のグループＢの領域に画像をドロップすると、グループＢに所属する学習者用端末４０に対して画像データａへのアクセス権限（表示権限）が設定される。画像データ表示欄６３には、学習者により作成された画像データがすべて表示される。講師は、画像データ表示欄６３に表示される画像データを確認し、その画像データを誰に見せるかを決定する。一括解除入力欄６４は、各端末に設定された処理権限をすべて一括して解除する際に講師により押下されるものである。
【００２０】
図６は、画像データの表示権限をグループに付与する一例を表す説明図である。図６の説明図は、上述した権限設定処理ルーチンが講義実行サーバ２０で実行されているときの講師用端末３０及び学習者用端末４０の表示画面を表している。この図６では、講師用端末３０及び学習者ａ、ｅ、ｆの学習者用端末４０の表示画面を示した。また、学習者ａ、ｅ、ｆの学習者用端末４０は、それぞれ画像データａ、ｅ、ｆを記憶しているものとし、学習者ａがグループＡに所属し、学習者ｅ、ｆがグループＢに所属しているものとする。図６では、講師の指示によりこれらの画像データをどの学習者用端末４０に表示させるかの処理権限を講義実行サーバ２０が設定する場合について説明する。図６の左列に示すように、講師用端末３０には上述したステップＳ１２０で取得した画像表示画面６０が表示され、学習者用端末４０には、画像表示画面６５が表示されている。画像表示画面６５は、学習者が作成した画像データが表示される画像データ表示欄６７が含まれ、項目を選択する際に移動させるカーソル６６が表示されている。学習者用端末４０には、その端末の画像データだけを表示可能とする処理権限が初期値として設定されている。また、講師用端末３０の画像表示画面６０には、関連データである画像データａ、ｅ、ｆを含む画像データ表示欄６３が表示されている。
【００２１】
ここで、講師が画像データａをグループＢの学習者に見せる場合を図６を用いて説明する。講師は、入力部３８を操作し、カーソル５１を移動させ、画像データ表示欄６３に表示された画像データａを権限付与欄６１の領域６１ｂに重ねる（図６の中央列）。ＣＰＵ３２は、設定されているグループの領域を含む選択対象表示欄６２を権限付与欄６１に隣接して表示する。講師は、選択対象表示欄６２のグループＢの領域に画像データａをドロップする。その処理内容を講師用端末３０から取得したＣＰＵ２２は、グループＢに所属する学習者用端末４０に対して画像データａへアクセス可能とする処理権限を設定する（ステップＳ１８０）。対応する学習者用端末４０は、画像データａを画像データ表示欄６７へ表示する（図６の右列）。このとき、ＣＰＵ３２は、処理権限を設定した対象を表示する権限表示欄６９を画像データ表示欄６３の画像データａに隣接して表示させる。権限表示欄６９は、設定されている処理権限の内容を示すと共に、クリックされるとその処理権限を解除するよう設定されている欄である。権限表示欄６９がクリックされると、ＣＰＵ３２は、権限表示欄６９に対応する個別の処理権限を解除するよう講義実行サーバ２０へ情報を送信する。また、講師の指示入力により画像表示画面６０の一括解除入力欄６４がクリックされると、ＣＰＵ３２は、現在設定されているすべての処理権限を解除するよう講義実行サーバ２０へ情報を送信する。このように、講義実行サーバ２０の制御装置２１は、グループ単位の端末に一括して講義内容に関する画像データのアクセス権限（表示権限）を講師の指示入力に基づいて動的に設定する。
【００２２】
図７は、画像データの表示権限を個別に付与する一例を表す説明図である。ここで、講師が画像データｅを学習者ａに個別に見せる場合を説明する。図６の左列と同じ状態から、講師は、入力部３８を操作し、カーソル５１を移動させ、画像データ表示欄６３に表示された画像データｅを権限付与欄６１の領域６１ａに重ねる（図７の中央列）。ＣＰＵ３２は、個別の学習者の領域を含む選択対象表示欄６２を権限付与欄６１に隣接して表示する。講師は、選択対象表示欄６２の学習者ａの領域に画像データｅをドロップする。その処理内容を講師用端末３０から取得したＣＰＵ２２は、学習者ａの学習者用端末４０に対して画像データｅへアクセス可能とする処理権限を設定する（ステップＳ１７０）。対応する学習者用端末４０は、画像データｅを画像データ表示欄６７へ表示する（図７の右列）。このとき、ＣＰＵ３２は、処理権限を設定した対象を表示する権限表示欄６９を画像データ表示欄６３の画像データｅに隣接して表示させる。なお、権限表示欄６９の機能は、図６と同様である。このように、講義実行サーバ２０の制御装置２１は、個別の端末に対しても講義内容に関する画像データのアクセス権限（表示権限）を講師の指示入力に基づいて動的に設定する。
【００２３】
次に、具体的な処理内容として、問題を提示し学習者から解答を取得する場合について説明する。図８は、講師用端末３０の表示部３７に表示される問題表示画面７０の一例を表す説明図である。この問題表示画面７０は、講義画面の一部であり、講師が問題を提示し学習者から解答を得るときに表示される。図８に示すように、問題表示画面７０には、権限付与欄７１と、問題表示欄７３と、一括解除入力欄７４と、解答内容表示欄７５と、画面変更入力欄７６とが含まれ、項目を選択する際に移動させるカーソル５１が表示されている。権限付与欄７１は、権限付与欄６１と同様であり、個別学習者に処理権限を付与する領域７１ａと、学習者のグループに処理権限を付与する領域７１ｂと、学習者全体に処理権限を付与する領域７１ｃとを含む。問題表示欄７３には、問題の内容が表示される。一括解除入力欄７４は、一括解除入力欄６４と同様であり、講師の指示入力により各端末に設定された処理権限をすべて一括して解除する際に押下される。解答内容表示欄７５には、入力された解答（ＹＥＳ、ＮＯ及び未選択）と解答者（学習者のアイコン）とが対応付けられて表示される。解答内容表示欄７５には、解答の選択肢の領域が複数含まれ、この領域内にこの選択肢を選択した学習者のアイコンが配置される（図８下段参照）。画面変更入力欄７６は、例えば前の画面や先の画面に講義画面を遷移させるときに押下される欄である。
【００２４】
図９は、問題の正解解答を含む講義画面の表示権限をグループに付与する一例を表す説明図である。図９の説明図は、上述した権限設定処理ルーチンが講義実行サーバ２０で実行されているときの講師用端末３０及び学習者用端末４０の表示画面を表している。この図９では、講師用端末３０及び学習者ａ、ｂ、ｅの学習者用端末４０の表示画面を示し、学習者ａ、ｂがグループＡに所属し、学習者ｅがグループＢに所属しているものとする。図９では、講師の指示により正解解答をどの学習者用端末４０に表示させるかの処理権限を講義実行サーバ２０が設定する場合について説明する。図９の左列に示すように、講師用端末３０には上述したステップＳ１２０で取得した問題表示画面７０が表示され、学習者用端末４０には、問題表示画面７０に対応する問題表示画面８０が表示される。問題表示画面８０は、基本的には問題表示画面７０の画面内容に対応する内容が表示される。例えば、問題表示画面７０に問題３が表示されると、問題表示画面８０に問題３が表示され、問題表示画面７０に問題４が表示されると、問題表示画面８０に問題４が表示される。問題表示画面８０には、問題表示欄８３と、選択確定キー８４と、解答入力欄８５と、画面変更入力欄８６とが含まれ、項目を選択する際に移動させるカーソル８１が表示されている。選択確定キー８４は、解答入力欄８５に入力した内容を確定するときに押下される。解答入力欄８５は、学習者により選択される解答（例えばＹＥＳ，ＮＯ）が表示される欄である。画面変更入力欄８６は、例えば前の画面や先の画面に画面を遷移させるときに押下される欄である。この画面変更入力欄８６は、学習者が勝手に問題を進めたり、現在の問題を無視して前の問題に戻らないように、講師により画面の遷移権限を付与された場合（講師に許可された場合）のみ表示されるようになっている。
【００２５】
ここで、講師が問題の正解解答をグループＡの学習者に見せる場合を図９を用いて説明する。講師は、入力部３８を操作し、カーソル５１を移動させ、解答内容表示欄７５に表示されたグループＡに所属するいずれかの学習者のアイコン（ここでは学習者ａ）を権限付与欄７１の領域７１ｂにドロップする（図９の中央列）。その処理内容を講師用端末３０から取得したＣＰＵ２２は、グループＡに所属する学習者用端末４０に対して現問題の正解解答を表示可能とする処理権限を設定する（ステップＳ１８０）。対応する学習者用端末４０は、正解解答を含む解答表示欄８７を表示する（図９の右列）。このとき、ＣＰＵ３２は、処理権限を設定した対象を表示する権限表示欄７９を権限が付与されたアイコンに隣接して表示させる。権限表示欄７９は、設定されている処理権限の内容を示すと共に、クリックされるとその処理権限を解除するよう設定されている欄である。権限表示欄７９がクリックされると、ＣＰＵ３２は、権限表示欄７９に対応する個別の処理権限を解除するよう講義実行サーバ２０へ情報を送信する。また、講師の指示入力により問題表示画面７０の一括解除入力欄７４がクリックされると、ＣＰＵ３２は、現在設定されているすべての処理権限を解除するよう講義実行サーバ２０へ情報を送信する。このように、講義実行サーバ２０の制御装置２１は、グループ単位の端末に一括して講義内容に関する正解解答の表示権限を講師の指示入力に基づいて動的に設定する。
【００２６】
図１０は、講義画面の遷移権限を個別に付与する一例を表す説明図である。ここでは、講師が学習者ａに前後の講義画面を見られるようにする場合を説明する。図９の左列と同じ状態から、講師は、入力部３８を操作し、カーソル５１を移動させ、解答内容表示欄７５に表示された学習者ａのアイコンを権限付与欄７１の領域７１ａにドロップする（図１０の中央列）。その処理内容を講師用端末３０から取得したＣＰＵ２２は、学習者ａの学習者用端末４０に対して講義画面を前後に変遷可能とする処理権限を設定する（ステップＳ１７０）。対応する学習者用端末４０は、画面変更入力欄８６を問題表示画面８０へ表示する（図１０の右列）。このとき、ＣＰＵ３２は、設定した処理権限を表示する権限表示欄７９を、権限が付与されたアイコンに隣接して表示させる。なお、権限表示欄７９の機能は、図９と同様である。このように、講義実行サーバ２０の制御装置２１は、学習者用端末４０に対して講義画面の変遷権限を講師の指示入力に基づいて動的に設定する。なお、講師により一括解除入力欄７４や権限表示欄７９が押下されると、現在設定されている変遷権限が解除され、各学習者用端末４０に表示されている様々な講義画面は、講師用端末３０に表示されている講義画面と同じ画面に一斉に変更されるものとする。
【００２７】
ここで、本実施形態の構成要素と本発明の構成要素との対応関係を明らかにする。本実施形態の制御装置２１が本発明の設定部及び制御部に相当し、記憶部２３が記憶部に相当し、表示部３７が表示部に相当する。また、画像表示画面６０及び問題表示画面７０が講義画面に相当し、権限付与欄６１及び権限付与欄７１が権限付与欄に相当し、一括解除入力欄６４及び一括解除入力欄７４が解除入力欄に相当する。なお、本実施形態では、講義実行サーバ２０の動作を説明することにより本発明の情報処理方法の一例も明らかにしている。
【００２８】
以上説明した実施形態の講義実行サーバ２０は、個別、グループ及び全体のうち少なくとも１以上の所属単位に所属する学習者用端末４０に対して、講義内容に関する講義関連データ（例えば、講義データ２４や関連データ２５など）への処理権限を講師の指示入力に基づいて動的に設定する。そして、設定された処理権限に応じて学習者用端末４０が講義関連データに対する処理を実行する。この講義実行システム１０では、処理権限に応じて、講義関連データに対する処理が可能な学習者用端末４０と、その処理ができない学習者用端末４０とが存在する中で講師の意図する講義を進めることができる。そして、講義実行サーバ２０は、講師の意図を反映させた自由度のより高い講義を提供することができる。
【００２９】
また、制御装置２１は、複数の画面を含む講義のデータである前記講義関連データの特定の講義画面を処理可能とする処理権限を学習者用端末４０に設定することにより、特定の講義画面への処理権限を設定することにより、講師の意図を反映させた講義を提供することができる。更に、制御装置２１は、学習者により作成され特定の学習者用端末４０に記憶された講義関連データを処理可能とする処理権限を他の学習者用端末４０に対して設定することにより、講師の意図を反映させた講義を提供することができる。更にまた、制御装置２１は、学習者用端末４０の所属単位で一括して処理権限を学習者用端末４０に対して設定する一方、学習者用端末４０に対して付与した処理権限を講師の指示入力に基づいて一括して解除するため、処理権限の動的設定をより簡便に行うことができる。
【００３０】
また、制御装置２１は、処理権限を学習者用端末４０に対して付与する権限付与欄６１，７１が配置された講義画面をネットワーク１２を介して表示部３７に出力させ、権限付与欄６１，７１への入力内容に基づいて処理権限を学習者用端末４０に付与するため、権限付与欄が配置された講義画面を用いて、講師の意図を反映させた講義を提供することができる。更に、講義画面には、個別学習者に処理権限を付与する領域６１ａ，７１ａ、学習者のグループに処理権限を付与する領域６１ｂ，７１ｂ及び学習者全体に処理権限を付与する領域６１ｃ，７１ｃが配置されており、制御装置２１は、権限付与欄６１，７１への入力内容に該当する学習者用端末４０に処理権限を付与するため、権限付与欄６１，７１により、学習者用端末の所属単位に応じて一括的に処理権限を設定することができる。更にまた、講義画面には、学習者用端末に対して付与した処理権限を一括して解除する一括解除入力欄６４，７４が配置されており、制御装置２１は、一括解除入力欄６４，７４への入力内容に該当する学習者用端末４０の処理権限を一括して解除するため、一括解除入力欄６４，７４を用いて、学習者用端末４０の所属単位に応じて一括的に処理権限を解除することができる。
【００３１】
また、講義実行システム１０は、ネットワーク１２に接続され、設定された処理権限に基づいて講義関連データに対する処理を実行する１以上の学習者用端末４０と、ネットワーク１２に接続され、設定した処理権限を学習者用端末４０のいずれかに出力する講義実行サーバ２０とを備えており、講義実行サーバ２０と同様に、講師の意図を反映させた自由度のより高い講義を提供することができる。
【００３２】
なお、本発明は上述した実施形態に何ら限定されることはなく、本発明の技術的範囲に属する限り種々の態様で実施し得ることはいうまでもない。
【００３３】
例えば、上述した実施形態では、制御装置２１は、個別、グループ及び全体を含む所属単位に所属する学習者用端末４０に対して処理権限を設定するものとしたが、いずれか１以上を省略してもよい。また、制御装置２１は、少なくともグループに対して一括して処理権限を設定するものとしてもよい。
【００３４】
上述した実施形態では、特に説明しなかったが、講義実行サーバ２０は、一括解除入力欄６４，７４により、処理権限を一括して設定したあと次の処理を行う前に、学習者用端末４０の現時点での作業内容を記憶部２３に記憶させるものとしてもよい。この講義実行サーバ２０では、処理権限を一括して設定し、学習者用端末４０が一斉に次の処理に移る前に、作業内容を保存するため、この保存データを用いることにより先の作業内容に戻ることができる。こうすれば、講師による処理権限の解除によって、講義画面や作業内容が強制的に変更される不都合を改善することができる。
【００３５】
上述した実施形態では、権限付与欄６１，７１により処理権限が設定されるものとしたが、特にこれに限定されず、権限付与欄６１，７１以外の態様を用いて処理権限を設定するものとしてもよい。処理権限の設定は、表示領域に画像をドロップする以外の方法、例えば、プルダウンメニューからの入力などで行うものとしてもよい。また、一括解除入力欄６４，７４により処理権限を一括して解除するものとしたが、特にこれに限定されず、例えば、プルダウンメニューからの入力などで行うものとしてもよい。また、権限表示欄６９，７９により処理権限を個別に解除するものとしたが、特にこれに限定されず、例えば、プルダウンメニューからの入力などで行うものとしてもよい。また、一括解除入力欄６４，７４、権限表示欄６９，７９のうち１以上を省略するものとしてもよい。
【００３６】
上述した実施形態では、講義実行システム１０は、講義実行サーバ２０、講師用端末３０、学習者用端末４０を備えるものとして説明したが、講師用端末３０が講義実行サーバ２０の機能を有するものとしてもよい。こうしても、講義実行システム１０は、講師の意図を反映させた自由度のより高い講義を提供することができる。
【００３７】
上述した実施形態では、本発明の情報処理装置を講義実行サーバ２０として説明したが、特にサーバでなくてもよい。また、本発明を情報処理装置である講義実行サーバ２０として説明したが、情報処理方法としてもよい。
【産業上の利用可能性】
【００３８】
本発明は、端末を利用して講義を提供する技術分野に利用可能である。
【符号の説明】
【００３９】
１０  講義実行システム、１２  ネットワーク、２０  講義実行サーバ、２１  制御装置、２２  ＣＰＵ、２３  記憶部、２４  講義データ、２５  関連データ、２６  端末情報、２７  権限情報、２９  通信部、３０  講師用端末、３１  制御装置、３２  ＣＰＵ、３３  記憶部、３４  講義データ、３５  関連データ、３７  表示部、３８  入力部、３９  通信部、４０  学習者用端末、４１  制御装置、４２  ＣＰＵ、４３  記憶部、４４  関連データ、４７  表示入力部、４９  通信部、５０  グループ設定画面、５１  カーソル、５２  グループ数入力欄、５３  グループ表示欄、６０  画像表示画面、６１  権限付与欄、６１ａ〜６１ｃ  領域、６２  選択対象表示欄、６３  画像データ表示欄、６４  一括解除入力欄、６５  画像表示画面、６６  カーソル、６７  画像データ表示欄、６９  権限表示欄、７０  問題表示画面、７１  権限付与欄、７３  問題表示欄、７４  一括解除入力欄、７５  解答内容表示欄、７６  画面変更入力欄、７９  権限表示欄、８０  問題表示画面、８１  カーソル、８３  問題表示欄、８４  選択確定キー、８５  解答入力欄、８６  画面変更入力欄、８７  解答表示欄。
【図１】
0006577742.tif 000002
【図２】
0006577742.tif 000003
【図３】
0006577742.tif 000004
【図４】
0006577742.tif 000005
【図５】
0006577742.tif 000006
【図６】
0006577742.tif 000007
【図７】
0006577742.tif 000008
【図８】
0006577742.tif 000009
【図９】
0006577742.tif 000010
【図１０】
0006577742.tif 000011